(57)【要約】【課題】電動式パチンコ機の操作ハンドル側に接続するリ−ド線の接続と切断を、操作ハンドルの取付け、取外しと同じ作業で可能とする。【解決手段】パチンコ機の前枠前面に固定する支持部材と、これに支持される操作ハンドルからなり、この操作ハンドルは、前握持部材と後握持部材とに回動可能に挟まれた導電レバ−で構成され、この後握持部材の後方には、案内筒部を突出して形成する保持筒を設け、この案内筒部に、導電レバ−と電気的に接触する導電シャフトを回動可能に軸支し、この操作ハンドル内に内装される電気的操作手段に接続するリ−ド線を纏めて接続するコネクタを導電シャフトの軸線と平行に装着されるコネクタを設けた。【選択図】  図２
2007313365.tif 000002
【特許請求の範囲】
【請求項１】
支持部材を介装してパチンコ機の前枠前面に操作ハンドル部材を支持するものであって、操作ハンドル部材内の電気的操作手段に接続するリ−ド線を纏めて接続する電気的コネクタを、操作ハンドルの後部に、ハンドル操作シャフトの軸線と平行に装着して、このコネクタに接続するパチンコ機側からのリ−ド線を纏めて接続する接続コネクタを、操作ハンドル部材の取付け手段と共用したことを特徴とする電動式パチンコ機の操作ハンドル。
【請求項２】
パチンコ機の前枠前面に固定する支持部材と、これに支持される操作ハンドルからなり、該操作ハンドルは、前握持部材と後握持部材とに回動可能に挟まれた導電レバ−で構成され、該後握持部材の後方には、案内筒部を突出して形成する保持筒を有し、該案内筒部に、導電レバ−と電気的に接触する導電シャフトを回動可能に軸支し、該操作ハンドル内に内装される電気的操作手段に接続するリ−ド線を纏めて接続するコネクタを該導電シャフトの軸線と平行に装着されるコネクタを設けたことを特徴とする電動式パチンコ機の操作ハンドル。
【請求項３】
保持筒に設けられるコネクタと接続可能とするコネクタを案内筒部に取付け穴を介して摺動可能に嵌めらるコネクタ案内板に固定してなる請求項２に記載の電動式パチンコ機の操作ハンドル。
【請求項４】
保持筒とコネクタ案内板とにより前枠前面のハンドル取付け穴を挟む構成とする構成とした請求項３に記載の電動式パチンコ機の操作ハンドル。
【発明の詳細な説明】
【技術分野】
【０００１】
本発明は、遊技者の操作ハンドルへの接触によりモ−タを駆動する電動式パチンコ機の操作ハンドルに関するものである。
【背景技術】
【０００２】
遊技者の操作ハンドルへの接触によりモ−タを駆動してする電動式パチンコ機の操作ハンドルは、パチンコ機の前枠前面に固定する支持部材とハンドル部とからなり、この支持部材には中心に導電シャフトを回動自在に支持して、この導電シャフトに接触する導電片をタッチ検出回路からのリ−ド線を一本接続し、ハンドル部は前握持部材と保持筒を有する後握持部材を回動自在に連装して設け、この保持筒内にはモ−タを駆動するための主スイッチを内装して、この主スイッチには二本のリ−ド線を接続するもので、計三本のリ−ド線をタッチ検出回路、モ−タ駆動回路から操作ハンドル内に導くものである。
【０００３】
この構成の電動式パチンコ機のハンドルにおいては、直接にタッチ検出回路、モ−タ駆動回路から導電片、主スイッチにリ−ド線を接続するものである為に、ハンドル部の保守時にはリ−ド線を付けたまま引出さねばならず煩雑な作業を余儀なくされる。更にパチンコ機の製作組立て時は、接続作業と前記保守作業を考慮してリ−ド線を長めにとらざるを得ないものである。
【発明の開示】
【発明が解決しようとする課題】
【０００４】
電動式パチンコ機の操作ハンドル側に接続するリ−ド線の接続と離し、パチンコ機の前枠への操作ハンドルの組付け、取外しと同じ作業で可能とする。
【課題を解決するための手段】
【０００５】
本発明は、パチンコ機の前枠前面に固定する支持部材と、これに支持される操作ハンドルからなり、この操作ハンドルは、前握持部材と後握持部材とに回動可能に挟まれた導電レバ−で構成され、この後握持部材の後方には、案内筒部を突出して形成する保持筒を設け、この案内筒部に、導電レバ−と電気的に接触する導電シャフトを回動可能に軸支し、この操作ハンドル内に内装される電気的操作手段に接続するリ−ド線を纏めて接続するコネクタを導電シャフトの軸線と平行に装着されるコネクタを設けたものである。
【０００６】
また、保持筒に設けられるコネクタと接続可能とするコネクタを案内筒部に取付け穴を介して摺動自在に嵌めらるコネクタ案内板に固定するものである。
更に、保持筒とコネクタ案内板とにより前枠前面のハンドル取付け穴を挟む構成とする構成とするものである。
【０００７】
タッチ検出回路、モ−タ駆動回路からのリ−ド線をハンドル部に内装する導電シャフトの導電片、主スイッチに接続するには、導電シャフトの軸線と平行に装着されたコネクタを介して行う。
【発明の効果】
【０００８】
本発明は、上記のように構成されたので、ハンドル部内の導電シャフトの導電片及び主スイッチと、タッチ検出回路、モ−タ駆動回路の電気的な接続と切り離しは、導電シャフトの軸線と平行に装着され、リ−ド線を纏めて接続するコネクタを介して行う構成としたので、操作ハンドルを個別組立可能として、製作組立て時には最適リ−ド線長とすることができると共に配線作業はハンドル側とパチンコ機本体側と別個独立して行うことができ作業能率を高めることができる。
また、導電シャフトの軸線と平行に装着されるコネクタを保持筒に設け、案内筒部に取付け穴を介して摺動自在に嵌められるコネクタ案内板に固定したので、コネクタ案内板の保持筒側への取付けと、取外しと同時にコネクタの接続、切断をすることができるのでハンドルの保持筒とコネクタ案内板とにより前枠前面のハンドル取付け穴を挟む構成とする構成とにより、ハンドル部の取付けと同時に電気的接続を可能として製作上も有利となる。
【発明を実施するための最良の形態】
【０００９】
パチンコ機の前枠前面に操作ハンドルを支持するに際し、操作ハンドル部材内の電気的操作手段に接続するリ−ド線を纏めて接続する電気的コネクタを、操作ハンドルの後部に、ハンドル操作シャフトの軸線と平行に装着して、このコネクタに接続するパチンコ機側からのリ−ド線を纏めて接続する接続コネクタを、操作ハンドル部材の取付け手段と共用した。
【実施例】
【００１０】
以下、図を参照して本発明の一実施例を説明する。図１は、本発明のパチンコ機の正面図であり、パチンコ機１の右下方に前枠２の取付穴に支持部材を介して回動自在に挿通固定される操作ハンドル３が示される。図２に、ハンドル部の主要構成を部分縦断面図で示す。前枠２は木製でハンドル用の取付穴２ａが明けられ、この前面には合成樹脂製の支持部材４が固定される。図３は、この支持部材４の部分斜視図である。支持部材４の前期取付穴２ａと対応する部分には段付の凹部４ｂに続く、ハンドル用の通し穴４ｃが一形成されている。この通し穴４ｃの周囲には、全体略案内筒状とされ、両側部と下部に三分割された掛止片４ａ〜４ａが前方に突設されている。
【００１１】
支持部材４には、操作ハンドル３が支持されるが、操作ハンドル３は合成樹脂製で、前握持部材５と後握持部材６とに回動可能に挟まれた導電レバ−７で構成される。後握持部材６は、前端部に大径筒状の握持部６ａを形成し、後方には、案内筒部６ｂを内装して形成する比較的に短い保持筒６ｃが握持部６ａの底部の偏心位置より連接して形成される。案内筒部６ｂの中心には、金属製の導電シャフト８を貫通する、貫通穴６ｄが形成されている。導電シャフト８の前端部にはピン止孔８ａが縦設され、後端部には平面が形成されたプ−リ止部８ｂが設けられ、プ−リ止部８ｂの首部には、Ｕ字薄板状の止リング９を止めるリング止溝８ｃが形成される。貫通穴６ｄは、導電シャフト８を遊嵌する内径を有し、後端部には詮状の合成樹脂製の軸受１１を嵌着可能とする段付穴６ｅが形成される。
【００１２】
図４を参照して、案内筒部６ｂの側部には一対のねじ止部６ｆ、６ｆを、保持筒６ｃ内面に達するように翼状に張設すると共に、上部には握持部６ａから連接された段付の角穴６ｇを開けた略横長四角筒状のコネクタ取付部６ｈが形成される。ねじ止部６ｆ、６ｆは、同一面となる取付端面６ｊ、６ｊを有し且つ案内筒部６ｂより短く形成され、それぞれにねじ孔６ｋ、６ｋが案内筒部６ｂの軸線と平行に形成される。コネクタ取付部６ｈには三端子の鍔付ソケット構造で合成樹脂製のコネクタ１２が握持部６ａ側から、前記段付の角穴６ｇを介して挿入固定される構成とされている。
【００１３】
保持筒６ｃの内部には、上記案内筒部６ｂ、ねじ止部６ｆ、コネクタ取付部６ｈの占有する部分を除いた外周隙間が案内筒部６ｂの両側部と下部に形成されるが、この部分を嵌合部１３として前記支持部材４の掛止片４ａ〜４ａが図２に示す様に支持のため嵌合されるものである。また、握持部６ａの内部三個所には、ねじ取付穴を有する取付凹部６ｍ〜６ｍが凹設されている。前記の図２に戻り、後握持部材６には、導電レバ−７と前握持部材５が嵌められが、導電レバ−７と前握持部材５とは、それぞれ略円板状と椀状の合成樹脂材でなり、導電レバ−７は、表面にクロ−ムメッキが施され、周縁が断面凸状に形成され、外縁内周に段付縁が形成され後握持部材６と前握持部材５とに挟まれ凸状部と段付縁に嵌合され回動可能とされている。
【００１４】
導電レバ−７の中央前側には、導電シャフト８の前端部を挿通して固定可能とする軸止ボス７ａを突設し、軸止ボス７ａには、導電シャフト８のピン止孔８ａに嵌入する係止ピン１４を止着する係止溝７ｂが形成されている。導電レバ−７の内周には弧状に透設され、前記取付凹部６ｍ〜６ｍに対応した位置に二個所の透穴７ｃ、７ｄが形成され、同レバ−７の内周裏面には断面ひれ状のスイッチ作動片７ｅが形成され、更に同レバ−７の最外周部には指掛部７ｆが形成されている。前握持部材１５の内部には、ねじ孔を有し、透穴７ｃ、７ｄを通して取付凹部６ｍ〜６ｍに当接する取付ボス５ａ〜５ａが垂設されている。取付凹部６ｍ〜６ｍに通すビス１５〜１５により、前握持部材５、導電レバ−７、後握持部材６を連装する。これにより、導電レバ−７は、透穴７ｃ、７ｄに案内され後握持部材６、前握持部材５に対して回動自在に支持されるものである。
【００１５】
案内筒部６ｂへの導電シャフト８の取付けは、貫通穴６ｄの前側より係止ピン１４を止着した同シャフト８を導電レバ−７と、真鍮製のリング１６と薄板銅製の導電片１７にを通して嵌め、プ−リ止部８ｂ側から軸受１１を通し段付穴７ｅに嵌入し、止リング９をリング止溝８ｃを嵌めて止着するものである。この導電シャフト８と導電片１７との関連を図５の斜視図に示す。導電片１７は、薄板環状部の内側に板片１７ａを折曲げ、導電シャフト８と貫通穴６ｄ間に同板片１７ａを押入れるもので、導電シャフト８は、板片１７ａと軸受１１により案内筒部６ｂに軸支される。導電片１７の外周の一部には半田付用のラグ片１７ｂが形成されている。尚、図示しない発射杵の打力調整のための巻取りワイヤ−２１を引張る半円形のプ−リ２２は、導電シャフト８のプ−リ止部８ｂに固定される。
【００１６】
握持部６ａの内部を、導電レバ−７と前握持部材５を除いた図６により説明する。握持部６ａの外周の図示下方の一端には、小型詮状の押釦２３の軸部を通す押釦透穴６ｐが形成されている。押釦２３の鍔状の頭部は小型の略V字状のレバ−２４の短片に当接され、このレバ−２４の長片はマイクロスイッチでなる主スイッチ２５の作動子に当接して位置決めされている。
【００１７】
この位置決めは、握持部１１ａから垂設する軸状の突部を、レバ−２４の軸支孔、主スイッチ２５の２個所の取付け穴に嵌入することによりなされ、通常、主スイッチ２５の作動子の弾力で押釦２３の頭部を押圧して軸部を握持部６ａ外に突出させている。次に、前記導電シャフト８を通す導電片１７、リング１６を中央部で押えて、主スイッチ２５、レバ−２４を下方で押える、周囲に雲形に広がる形状の押板２６をビス２７〜２７により握持部６ａに図示しない取付ボスを介して止着するものである。
【００１８】
また、握持部６ａ上部の、前記保持筒６ｃ側から延長した角穴６ｇの開口部には、コネクタ蓋材２８がビス２９、２９により図視しない取付ボスを介して握持部６ａに止着される。コネクタ蓋材２８は、先端を角穴６ｇに嵌入してコネクタ１２を押えるU字状の案内部２８ａを形成すると共に中央部にリ−ド線の引掛部２８ｂが形成されている。握持部６ａ内の電気的接続は、導電片１７のラグ片１７ａからのリ−ド線L1、主スイッチ２５の常閉端子からのリ−ド線L2、L3がコネクタ蓋材２８の上部裏面の角穴６ｇを通じてコネクタ１２に接続される。
【００１９】
ソケット側のコネクタ１２に接続されるプラグ側の接続を説明する。図２に示される様に、前枠２の取付穴２ａに臨む支持部材４の掛止片４ａ〜４ａに、保持筒６ｃの嵌合部１３が嵌められて後握持部材１１は支持される。ここで、再度図４を参照する。図４では図示しない前枠２の取付穴２ａを通してコネクタ１２、ねじ止部６ｆ、６ｆ、案内筒部６ｂ等が後方に突出される。このねじ止部６ｆ、６ｆの取付端面６ｊ、６ｊには、コネクタ案内板３１が止着される。
【００２０】
コネクタ案内板３１は、略卵形状で中央のやや下方に案内筒部６ｂを摺動可能に案内する案内穴３１ａを開設し、コネクタ１２に対応して、上部には、三端子の鍔付プラグ構造で合成樹脂製のコネクタ３２を嵌入する角穴３１ｂを開設している。また同案内板３１の前部には、角穴３１ｂに対応してU字状の案内片３１ｃが形成され、同上部には押板係止用の係止突部３１ｄ、３１ｄが突設され、両側部にはねじ止用穴３１ｅ、３１ｅが開設されている。角穴３１ｂに嵌入されるコネクタ３２を固定するための凸板状の押板３３には、コネクタ３２に接続するリ−ド線L11、L12、L13を通す角穴３３ａが開設され、前記係止突部３１ｄ、３１ｄ、ねじ止用穴３１ｅ、３１ｅに対応した位置決穴３３ｂ、３３ｂ、ねじ止用穴３３ｃ、３３ｃがそれぞれ開口されている。
【００２１】
この構成により、後握持部材６を支持部材４で支持した状態で、取付端面６ｊ、６ｊを前枠２の後面に合わせるか稍    取付穴２ａより奥として、案内筒部６ｂにコネクタ案内板３１の案内穴３１ａを案内しつつ、ビス３４、３４を、押板３３のねじ止用穴３３ｃ、３３ｃ、コネクタ案内板３１のねじ止用穴３１ｅ、３１ｅ介してねじ孔６ｋ、６ｋに螺合すれば操作ハンドルの取付けとコネクタの接続が一挙に可能となる。この逆のコネクタと操作ハンドルのとり外しも同時に可能となる。
【００２２】
尚、図６で示される様に、コネクタ３２に接続するリ−ド線L11、L12、L13は、玉発射のモ−タＭを駆動制御するタッチ検出回路Ｔに接続される。所謂アンテナとしての導電レバ−７に触手することにより、リング１６、導電シャフト８、導電片１７、ラグ片１７ｂ、リ−ド線L11を介してタッチセンサ回路Ｔによりモ−タＭを駆動することができる。主スイッチ２５の常閉端子に接続されるリ−ド線L12、13により、押釦２３を押圧しレバ−２４を介して主スイッチ２５を開きモ−タＭの停止を可能としている。
【００２３】
通常、図７で示す様に導電レバ−７に触手し矢印の方向に回動するとモ−タＭを駆動すると共に導電シャフト８、プ−リ２２、ワイヤ−２１を介して打力調整がなされる。この場合、導電レバ−７のスイッチ作動片７ｅは、レバ−２４から離れており、モ−タＭの停止は、押釦２３を押圧により可能となる。また、図８で示す様に導電レバ−１４に触手し矢印の方向に回動すると、透穴７ｃ、７ｄで制限される位置でスイッチ作動片７ｅはレバ−２４の長片を押圧して主スイッチ２５をを開きモ−タＭの停止させるものである。
【００２４】
上記の構成の説明から明確となるように、本発明は、パチンコ機１の操作ハンドル３を、導電シヤフト８、ソケット側の接続用のコネクタ１２等を含め組立てておいてから、支持部材４の掛止片４ａ〜４ａ、嵌合部１３を介して支持し、コネクタ３２と共にコネクタ案内板３１をビス３４、３４により操作ハンドル３に止着すれば操作ハンドルの組付けと電気的接続を同時に可能とする。
【００２５】
上記実施例の変形として、支持部材と後握持部材の嵌合部を変えて、後握持部材に爪部を設け、支持部材側に嵌入部を設けてもよい。電気接続用のコネクタは捩込み式を採用しても可能であり、この場合はビス着は不用となる利点がある。
【図面の簡単な説明】
【００２６】
【図１】本発明のパチンコ機の正面図である。
【図２】本発明のハンドル部の主要構成を示す部分縦断面図である。
【図３】支持部材の部分斜視図である。
【図４】操作ハンドルの一部を分解した斜視図である。
【図５】導電シャフト、導電片の関連を示す斜視図である。
【図６】操作ハンドルの後握持部材の内部を示す正面図である。
【図７】操作ハンドルの要部を切欠いた正面図である
【図８】操作ハンドルの要部を切欠いた正面図である。
【符号の説明】
【００２７】
１    ：パチンコ機、２：前枠、３：操作ハンドル４：支持部材、５：前握持部材、６：後握持部材、６ｂ：案内筒部、６ｃ：保持筒、７：導電レバ−、８：導電シャフト、１２、３２：コネクタ。
【図１】
2007313365.tif 000003
【図２】
2007313365.tif 000004
【図３】
2007313365.tif 000005
【図４】
2007313365.tif 000006
【図５】
2007313365.tif 000007
【図６】
2007313365.tif 000008
【図７】
2007313365.tif 000009
【図８】
2007313365.tif 000010